(57)【要約】      （修正有）【課題】入力ローラを軸支しているローラ軸が、入力ローラを備えた入力アームと、バルブに当接する出力アームとを相対揺動可能に組み合わせる軸となることで軸の数を減らし、ロッカアームの質量を小さくした可変動弁機構を提供する。【解決手段】回転カム１２とバルブ１５との間に揺動可能に介装されたロッカアーム２０を操作することによりバルブの開閉量を変更する可変動弁機構１０において、ロッカアームは、入力アーム２１と出力アーム３０とを含み構成され、入力アームと出力アームとが、入力ローラ２６を軸支するローラ軸２５により相対揺動可能に組み合わされ、ロッカアームの基端部に、相対揺動が不能となるように入力アームと出力アームとを相互に連結した連結状態とその連結を解除した連結解除状態との間で切替を行う切替機構が設けられ、この切替により、バルブの開閉量を変更する。【選択図】図１
2008184956.tif 000002
【特許請求の範囲】
【請求項１】
回転カムとバルブとの間に揺動可能に介装されたロッカアームを操作することにより前記バルブの開閉量を変更する可変動弁機構において、
前記ロッカアームは、前記回転カムに当接する入力ローラを備えた入力アームと、前記バルブに当接する出力アームとを含み構成され、
前記入力アームと前記出力アームとが、前記入力ローラを軸支するローラ軸により相対揺動可能に組み合わされ、
前記ロッカアームの基端部に、前記相対揺動が不能となるように前記入力アームと前記出力アームとを相互に連結した連結状態とその連結を解除した連結解除状態との間で切替を行う切替機構が設けられ、該切替により、前記バルブの開閉量を変更することを特徴とする可変動弁機構。
【請求項２】
前記ロッカアームの長さ方向の中間部に前記入力ローラが設けられ、該ロッカアームの先端部に前記バルブが当接する請求項１記載の可変動弁機構。
【発明の詳細な説明】
【技術分野】
【０００１】
本発明は、内燃機関の運転状態に応じてバルブ特性を制御する可変動弁機構に関するものである。
【背景技術】
【０００２】
従来、内燃機関には、機関の運転状態に応じてバルブ１０５のリフト量、作用角及び開閉タイミングを制御する可変動弁機構が用いられることがある。図６に示すように、このような可変動弁機構の中には、ロッカアーム１０１の基端部をラッシュアジャスタ１０２に支持され、このラッシュアジャスタ１０２を通して供給される油圧を用いて、上記のバルブ１０５の可変を行う切替機構１０３をロッカアーム１０１の基端部に有するものが知られている（特許文献１）。
【特許文献１】米国特許出願公開第２００５／  ０７４４５９号明細書
【発明の開示】
【発明が解決しようとする課題】
【０００３】
しかし、前記の可変動弁機構１００は、回転カム１０４と当接する入力ローラ１０７を軸支する軸とは別に、回転カム１０４に当接するロッカアーム１０１の部位とバルブ１０５に当接するロッカアーム１０１の部位とを相対揺動可能に連結する軸１０６が設けられるため、ロッカアームの質量が大きくなっていた。
【０００４】
そこで、本発明は、入力ローラを軸支しているローラ軸が、入力ローラを備えた入力アームと、バルブに当接する出力アームとを相対揺動可能に組み合わせる軸となることで軸の数を減らし、ロッカアームの質量を小さくした可変動弁機構を提供することを目的とする。
【課題を解決するための手段】
【０００５】
上記目的を達成するため、本発明の可変動弁機構は、回転カムとバルブとの間に揺動可能に介装されたロッカアームを操作することによりバルブの開閉量を変更する可変動弁機構において、ロッカアームは、回転カムに当接する入力ローラを備えた入力アームと、バルブに当接する出力アームとを含み構成され、入力アームと出力アームとが、入力ローラを軸支するローラ軸により相対揺動可能に組み合わされ、ロッカアームの基端部に、相対揺動が不能となるように入力アームと出力アームとを相互に連結した連結状態とその連結を解除した連結解除状態との間で切替を行う切替機構が設けられ、この切替により、バルブの開閉量を変更することを特徴とする。
【０００６】
ここで、バルブの開閉量の変更とは、特に限定はされないが、回転カムの回転に従いバルブを駆動する状態とこの駆動を完全に停止する状態との間で切り替える場合や、回転カムの回転に従いバルブを比較的大きいリフト量で開閉する状態と比較的小さいリフト量で開閉する状態との間で切り替える場合等が例示できる。
【０００７】
ロッカアームとしては、特に限定はされないが、入力アームの長さが短くなり、ロッカアームの質量を小さくできることから、長さ方向の中間部に入力ローラが設けられ、先端部にバルブが当接するものが好ましい。
【０００８】
入力アームとしては、特に限定はされないが、板状や棒状等が例示できる。また、入力アームは、出力アームよりもロッカアームの幅方向の内側にあるインナアームであってもよいし、出力アームよりもロッカアームの幅方向の外側にあるアウタアームであってもよい。
【０００９】
出力アームとしては、特に限定はされないが、板状や棒状等が例示できる。また、出力アームは、入力アームよりもロッカアームの幅方向の内側にあるインナアームであってもよいし、入力アームよりもロッカアームの幅方向の外側にあるアウタアームであってもよい。
【００１０】
切替機構としては、特に限定はされないが、ロッカアームの基端部に設けられたピン穴に取り付けられた連結ピンと、ピン穴に油圧を供給するための油路とを含み構成され、油圧により連結ピンを駆動するもの等が例示できる。
【００１１】
ロッカアームを揺動可能に支持する部材は、特に限定はされないが、ロッカアーム内の切替機構に油圧を供給できるよう、ロッカアームと当接する部位に開口が設けられた油路を有することが好ましい。また、バルブクリアランスが自動調整でき、メンテナンスフリーとすることができることから、ラッシュアジャスタを用いることが好ましい。
【発明の効果】
【００１２】
本発明によれば、入力ローラを軸支しているローラ軸が、入力ローラを備えた入力アームと、バルブに当接する出力アームとを相対揺動可能に組み合わせる軸となることで軸の数を減らし、ロッカアームの質量を小さくした可変動弁機構を提供することができる。
【発明を実施するための最良の形態】
【００１３】
回転カムとバルブとの間に揺動可能に介装されたロッカアームを操作することによりバルブの開閉量を変更する可変動弁機構において、ロッカアームは、回転カムに当接する入力ローラを備えた入力アームと、バルブに当接する出力アームとを含み構成され、ロッカアームの長さ方向の中間部に入力ローラが設けられ、ロッカアームの先端部にバルブが当接し、入力アームと出力アームとが、入力ローラを軸支するローラ軸により相対揺動可能に組み合わされ、ロッカアームの基端部に、相対揺動が不能となるように入力アームと出力アームとを相互に連結した連結状態とその連結を解除した連結解除状態との間で切替を行う切替機構が設けられ、この切替により、バルブの開閉量を変更することを特徴とする可変動弁機構。
【実施例１】
【００１４】
図１〜図４は、本発明の実施例１の可変動弁機構を示している。
本可変動弁機構１０は、エンジンのクランク軸（図示略）により回転させられるカムシャフト１１に設けられている回転カム１２と、回転カム１２の回転に従い揺動してバルブ１５を開閉しているロッカアーム２０と、ロッカアーム２０によるバルブ１５の開閉量を断続的に変更している切替機構４０とを含んでいる。
【００１５】
ロッカアーム２０は、ロッカアーム２０の長さ方向の中間部において回転カム１２に当接している入力アーム２１と、ロッカアーム２０の先端部において二つのバルブ１５に当接し、ロッカアーム２０の長さ方向の中間部において入力アーム２１と相対揺動可能に組み合わされている出力アーム３０と、ロッカアーム２０の基端部に設けられ、入力アーム２１と出力アーム３０との相対揺動が不能となるように入力アーム２１と出力アーム３０とを相互に連結した連結状態とその連結を解除した連結解除状態との間で切替を行う切替機構４０と、を含み構成されている。
【００１６】
入力アーム２１は、先端部と基端部とに孔が形成されている二枚の板状のインナプレート２２を有し、インナプレート２２が出力アーム３０よりもロッカアームの幅方向の内側にあることから、インナアームとなっている。先端部に形成されている孔はローラ孔２３に、基端部に形成されている孔は機構孔２４になっている。ローラ孔２３には、回転カム１２と当接している入力ローラ２６を回転可能に軸支しているローラ軸２５が嵌入されている。ローラ軸２５が両インナプレート２２のローラ孔２３に嵌入されることで、両インナプレート２２は一体として揺動する。。
【００１７】
出力アーム３０は、入力アーム２１の長さ方向の両側方に設けられ、先端部、基端部及び長さ方向の中間部に孔が形成され、インナプレート２２より長い二枚の板状のアウタプレート３１を有し、アウタプレート３１が入力アーム２１よりもロッカアームの幅方向の外側にあることから、アウタアームとなっている。先端部に形成されている孔はロッド孔３２に、基端部に形成されている孔は連結孔３４に、長さ方向の中間部に形成されている孔は支持孔３３になっている。両アウタプレート３１は、支持孔３３にローラ軸２５が貫入されていることで、入力アーム２１と相対揺動可能になるよう軸支されている。また、ロッド孔３２には、バルブ１５を押圧する棒状のロッド３５が嵌入されている。ロッド３５の両端部は、バルブ１５を駆動できるよう、バルブ１５の上端に当接している。ロッド３５が両アウタプレート３１のロッド孔３２に嵌入されることで、両アウタプレート３１は一体として揺動する。なお、ロッド３５は、駆動するバルブ１５のバルブピッチ（バルブ間の距離）に応じて、長さの異なるものに変更することが可能である。
【００１８】
切替機構４０は、機構孔２４に貫入し、両端面に有底穴状のピン穴４２が凹設されている支点軸４１と、両ピン穴４２に油圧を供給するために支点軸４１に設けられている二つの油路４４と、両ピン穴４２内に設けられている二つの連結ピン４５と、両ピン穴４２内に設けられ、連結ピン４５に当接して連結ピン４５をピン穴４２から抜脱する方向に付勢する二つのピンバネ４６とを有する。
【００１９】
支点軸４１は、略円柱状であって、その側面には、ロッカアーム２０を支持しているラッシュアジャスタ５０の先端部を挿入するための挿入穴４３が形成され、挿入穴４３から両ピン穴４２へと油圧を供給できるよう連通している油路４４が設けられている。また、両ピン穴４２の開口部には、各ピン穴４２から連結ピン４５が抜脱されるのを防ぐためリング状部材４７が圧入されている。
【００２０】
連結ピン４５は、設けられているピン穴４２の周面と摺接できるよう略円柱状である。連結ピン４５の先端部は、リング状部材４７の中心孔４８を貫通し連結孔３４に挿入できるよう縮径している。
【００２１】
ラッシュアジャスタ５０は、支持しているロッカアーム２０内の切替機構４０に作動油Ｐを供給するため、プランジャ５１の先端部に設けられた開口５３へと連通する内部油路５２をプランジャ５１内に有する。
【００２２】
開口５３から供給される作動油Ｐは、プランジャ５１の先端部と挿入穴４３との間隙から油路４４を経由してピン穴４２へと供給されている。
【００２３】
作動油Ｐに圧力が加えられる場合には、ピン穴４２から抜出する方向にピンバネ４６によって付勢されている連結ピン４５は、その付勢力に抗して、ピン穴４２に挿入される方向に摺動する。また逆に、作動油Ｐに加えられている圧力が取り除かれる場合には、ピンバネ４６の付勢力によて、連結ピン４５は、ピン穴４２から抜出される方向に摺動する。以上のように作動油Ｐへの圧力を加除することによって、連結ピン４５はピン穴４２内を移動する。
【００２４】
切替機構４０は、図３ｂに示すように、連結ピン４５がピン穴４２の底面に当接する位置にない場合には、連結ピン４５の先端部が連結孔３４に挿入され、入力アーム２１と出力アーム３０との相対揺動が不能となるように入力アーム２１と出力アーム３０とを相互に連結した連結状態になっている。一方、図３ｃに示すように、連結ピン４５がピン穴４２の底面に当接する位置にある場合には、連結ピン４５の先端部が連結孔３４から抜出され、入力アーム２１と出力アーム３０との相対揺動が可能となるよう、入力アーム２１と出力アーム３０との相互の連結を解除した連結解除状態になっている。
【００２５】
図４に示すように、回転カム１２が回転するとその回転に従って入力アーム２１は、ラッシュアジャスタ５０を支点として揺動する。
【００２６】
図４ｂに示すように、出力アーム３０と入力アーム２１とが連結状態になっている場合には、出力アーム３０は、入力アーム２１と同じようにラッシュアジャスタ５０を支点として揺動する。出力アーム３０がラッシュアジャスタ５０を支点として揺動することで、出力アーム３０のロッド３５の両端部に当接している二つのバルブ１５が回転カム１２の回転によって開閉する。
【００２７】
一方、図４ｃに示すように、出力アーム３０と入力アーム２１とが連結解除状態になっている場合には、出力アーム３０は、ラッシュアジャスタ５０を支点とせず、バルブ１５の上端を支点として揺動する。したがって、回転カム１２の回転によってバルブ１５は開閉しない。
【００２８】
本実施例によれば、次の（ａ）〜（ｄ）の効果が得られる。
（ａ）出力アーム３０と入力アーム２１とが相対揺動可能になるよう支持する軸をローラ軸２５とすることで軸の数を減らせ、ロッカアーム２０の質量を小さくできる。
（ｂ）切替機構４０をロッカアーム２０の基端部に設け、ロッカアーム２０の先端部にバルブ１５が当接し、ロッカアーム２０の長さ方向の中間部に入力ローラ２６を設けることで、入力アーム２１の長さが短くなり、ロッカアーム２０の質量を小さくできる。
（ｃ）入力アーム２１及び出力アーム３０を共に板状部材２２、３１を用いてアームを構成すること、ロッカアーム２０の構造を簡便にでき、かつ、製造コストの低減が図れる。
（ｄ）バルブ１５を押圧するロッド３５を長さの異なるものに変更することで、駆動するバルブ１５のバルブピッチが異なるエンジンに対しても容易に対応することができる。
【実施例２】
【００２９】
図５に示す本発明の実施例２は、実施例１と切替機構６０が異なる。
具体的には、支点軸６１の両端面に凹設されているピン穴６２が互いに貫通している貫通孔状であるのと、ピン穴６２から連結ピン６５が抜脱されるのを防ぐための部材及び連結ピン６５がピン穴６２内へ過度に挿入されるのを防ぐための部材がＣリング６７である。なお、他の部位については、実施例１と同じであることから、以下実施例１と異なる部位について説明する。
【００３０】
切替機構６０は、機構孔７３に貫入し、両端面にピン穴６２が開口している支点軸６１と、ピン穴６２に油圧を供給するために支点軸６１に設けられている二つの油路６４と、ピン穴６２内に設けられている二つの連結ピン６５と、ピン穴６２内に設けられ、両連結ピン６５に当接して連結ピン６５をピン穴６２から抜脱する方向に付勢するピンバネ６６とを有する。
【００３１】
支点軸６１は、略円筒状であって、その側面には、ロッカアーム７０を支持しているラッシュアジャスタ７５の先端部を挿入するための挿入穴６３が形成され、挿入穴６３からピン穴６２へと油圧を供給できるように連通している油路６４が設けられている。貫通孔状であるピン穴６２の周面には、両端部及び中央部に周方向に延びるリング溝６８が凹設されている。それぞれのリング溝６８にはＣリング６７が貫入されている。なお、それぞれのリング溝６８に貫入される部材にＥリングを用いることもできる。
【００３２】
本実施例のピン穴６２は貫通孔状であることから、切替機構６０は、図５ｂに示すように、連結ピン６５が中央部のＣリング６７に当接する位置にない場合には、連結ピン６５の先端部が連結孔７４に挿入され、入力アーム７１と出力アーム７２との相対揺動が不能となるように入力アーム７１と出力アーム７２とを相互に連結した連結状態になっている。一方、図５ｃに示すように、連結ピン６５が中央部のＣリング６７に当接する位置にある場合には、連結ピン６５の先端部が連結孔７４から抜出され、入力アーム７１と出力アーム７２との相対揺動が可能となるよう、入力アーム７１と出力アーム７２との相互の連結を解除した連結解除状態になっている。
【００３３】
本実施例によれば、実施例１で得られる効果の他に、次の（ｅ）の効果も得られる。
（ｅ）ピン穴６２を貫通孔状にし、ピン穴６２から連結ピン６５が抜脱されるのを防ぐための部材をＣリング６７等にすることで、切替機構６０の製造が容易になり、製造コストの低減が図れる。
【００３４】
なお、本発明は前記実施例に限定されるものではなく、発明の趣旨から逸脱しない範囲で実施することができる。
【図面の簡単な説明】
【００３５】
【図１】本発明の実施例１の可変動弁機構の斜視図である。
【図２】同可変動弁機構のロッカアームの分解斜視図である。
【図３】同ロッカアームの断面図である。
【図４】同可変動弁機構のロッカアームの揺動状態の模式図である。
【図５】本発明の実施例２の可変動弁機構の切替機構の分解斜視図及び断面図である。
【図６】従来の可変動弁機構の斜視図である。
【符号の説明】
【００３６】
１０    可変動弁機構
１２    回転カム
１５    バルブ
２０    ロッカアーム
２１    入力アーム
２５    ローラ軸
２６    入力ローラ
３０    出力アーム
４０    切替機構
６０    切替機構
７０    ロッカアーム
７１    入力アーム
７２    出力アーム
【図１】
2008184956.tif 000003
【図２】
2008184956.tif 000004
【図３】
2008184956.tif 000005
【図４】
2008184956.tif 000006
【図５】
2008184956.tif 000007
【図６】
2008184956.tif 000008